(57)【要約】【課題】  ２枚の表示パネルを組み合わせて正面側と背面側に写真やカレンダーシートなどを入れることが出来る表示ケースの提供。【解決手段】  両表示パネル１，２は上端に設けた継手部を介して連結し、互いに重なり合って閉じると共に脚立のように逆Ｖ形に開いて起立することが出来る表示ケースであって、両表示パネル１，２は写真やカレンダーシートなどを開口から収容する収容空間７，８を形成した透明又は半透明な樹脂の成形品であり、上記継手部には両表示パネル１，２の開き度を規制するストッパー機構を備えている。【選択図】    図４
2008259618.tif 000002
【特許請求の範囲】
【請求項１】
２枚の表示パネルの上端に設けた継手部を介して連結し、互いに重なり合って閉じると共に脚立のように逆Ｖ形に開いて起立することが出来る表示ケースであって、両表示パネルは写真やカレンダーシートなどを開口から収容する収容空間を形成した透明又は半透明な樹脂の成形品であり、上記継手部には両表示パネルの開き度を規制するストッパー機構を備えたことを特徴とする表示ケース。
【請求項２】
一方側の表示パネルの上端両側には軸ピンを水平に延ばし、他方の表示パネル上端両側には軸部をパネル面に対して垂直に設けると共に該軸部には軸穴を形成し、そして上記軸ピンを軸穴に嵌めて連結し、更に軸部下側にはストッパー突片を設けると共に該ストッパー突片が嵌合するストッパー凹溝を軸ピンの下側に形成した請求項１記載の表示ケース。
【請求項３】
表示パネルの表面パネルを大きく切欠いて開口を形成した請求項１、又は請求項２記載の表示ケース。
【発明の詳細な説明】
【技術分野】
【０００１】
本発明は、カレンダーや写真などを入れて保管する為の表示ケースであり、表示物を抜き差し自在に収納出来る２枚の表示パネルが対を成して構成する表示ケースに関するものである。
【背景技術】
【０００２】
従来において、カレンダーや写真を表示するための表示ケースは数多く提案されている。最も一般的な写真表示ケースは額縁に写真を入れると共に背面側には転倒防止の支えを備え、テーブルや机の上に転倒することなく僅かに後方へ傾斜して配置することが出来る。しかし、額縁に入れた写真やカレンダーは自由に抜き差しすることは出来ず、背板を取外して入れ替える必要がある。
【０００３】
特開平１１−３４８４８２号に係る「写真ケース」は、写真立てと、アルバムとの機能との機能を併有させて写真のセットを容易にし、且つ、写真の閲覧若しくは検索も容易に行なえるようにしたものである。
【０００４】
外箱の開放部より内箱が出し入れ可能に設けられている。内箱の前壁には窓部が形成され、これの内方位置に設けられた仕切部材との間を第１の空間として写真が挿抜可能に設けられている。また、仕切部材の後方はフォルダーを収容する第２の空間として形成されている。フォルダーは見出しを備えてなり、多数枚の写真が分類された状態で保存可能となる。
【０００５】
特開２００５−２０５１４６号に係る「縦横自由に使える簡易スタンド」は、簡単に，安全に，経済的に使用できる縦横自由に使える簡易スタンドであり、同一サイズの厚紙，プラスチック板等からなる３枚の台紙を重ね合わせた丈夫なスタンドで，裏側の台紙を斜めに筋目を入れ，外側に曲げることにより，スタンドを支える脚として縦位置でも横位置でも使え，さらに中央部に穴を設けることによりつりさげても使える。
【０００６】
特開２００５−２３７９１４号に係る「簡易スタンド」は、簡単に，安全に，経済的に使用できる簡易スタンドである。
【０００７】
紙，プラスチック板等からなる，表示窓をつけた表台紙，中台紙及び裏台紙の少なくとも３枚の同一サイズの台紙を重ね合わせ，表台紙と中台紙の間に写真等を鋏みこむための開口部を設けるとともに，中台紙及び裏台紙に，開脚可能な支脚部を設け，さらに支脚部の中央部に穴を設けることにより吊りさげたり貼ったりすることができる簡易スタンドである。
【０００８】
このように色々な写真立てが存在しているが、あくまでも１面だけで裏面は機能していない。
【特許文献１】特開平１１−３４８４８２号に係る「写真ケース」
【特許文献２】特開２００５−２０５１４６号に係る「縦横自由に使える簡易スタンド」
【特許文献３】特開２００５−２３７９１４号に係る「簡易スタンド」
【発明の開示】
【発明が解決しようとする課題】
【０００９】
このように、色々な写真立てが存在しているが、上記のごとき表裏両面に写真やカレンダーを表示することが出来る表示ケースは知られていない。本発明が解決しようとする課題はこの問題点であり、表裏の２面を利用できる表示ケースを提供する。
【課題を解決するための手段】
【００１０】
本発明に係る表示ケースは２枚の表示パネルを有し、両表示パネルはその上端両側にて連結され、所定の角度分が開くことが出来る。すなわち、両表示パネルが開いて逆Ｖ形と成ることで互いに支え合って起立することが出来る構造としている。そして、継手部にはストッパーが備わり、所定の角度以上は開かないように規制され、ただし折畳まれて両表示パネルは重なり合うことは出来る。
【００１１】
ところで、各表示パネルは写真やカレンダーを収容することが出来る収容空間を有し、該写真やカレンダーシートは差し入れ自在と成っている。勿論、収容空間に収容することが出来るものは写真やカレンダーシートに限るものではない。例えば、メモシートを収容することもある。
【発明の効果】
【００１２】
本発明に係る２面表示ケースは逆Ｖ形を成し、夫々の表示パネルが互いに凭れあって起立することが出来る。表示ケースの上端には継手部を備えることで、両表示パネルは継手部を中心として所定の角度まで開くことが出来るが、それ以上開くことが出来ないようにストッパー機構を備え、脚立のように逆Ｖ形にて起立することが出来る。ところで、本発明の表示ケースは２枚の表示パネルを備えることで、それぞれの表示パネルに写真やカレンダー等を収容し、それぞれの表示パネルの向きを変えることで何時でも見ることが出来る。
【実施例】
【００１３】
図１は本発明に係る表示ケースを構成する一方側の表示パネル１を示す実施例である。該表示パネル１は長方形をした薄い箱体であり、上部を開口した収容空間７を形成している。従って、上部開口から収容空間７に写真やカレンダーシートを入れることが出来る。そして、上端の両側には軸ピン３，３が外方向へ向いて水平に延びている。ここで、上記収容空間７の厚さは特に限定しないことにする。
【００１４】
図２は本発明に係る表示ケースを構成する他方側の表示パネル２を示す実施例である。この表示パネル２は長方形をした薄い箱体であり、上部を開口した収容空間８を形成している。従って、上部開口から収容空間８に写真やカレンダーシートを入れることが出来る。そして、上端の両側には軸部６，６をパネル面に対して垂直を成して設け、この軸部６，６には軸穴４，４を貫通している。ここで、上記表示パネル１の場合と同じく収容空間８の厚さは特に限定しないことにする。
【００１５】
図３は本発明の表示ケースを表す実施例であり、２枚の表示パネル１，２が互いに重なり合って閉じている場合である。表示パネル２の上端両側に設けた軸部    ６，６に形成した軸穴４，４に表示パネル１の上端両側に設けた軸ピン３，３が嵌って連結される。そして、両表示パネル１，２は閉じて互いに重なり合うことが出来る。ここで、表示パネル１及び表示パネル２は透明又は半透明の樹脂を使用した成形品であり、収容空間７及び収容空間８に入れた写真やカレンダーシートを表面パネルを通して見ることが出来る。
【００１６】
図４は本発明の表示ケースが逆Ｖ形を成して開いた状態を表している。軸部６，６に設けた軸穴４，４に軸ピン３，３を嵌めることで連結した表示パネル１と表示パネル２は上記軸ピン３，３を中心として回転して開くことが出来る。逆Ｖ形を成して開いた表示パネル１，２は互いに凭れあって起立し、転倒することはない。表示パネル１と表示パネル２の収容空間７，８に入れた写真やカレンダーシートをテーブルや机に置くことができる。
【００１７】
例えば、正面側の表示パネル１には複数枚のカレンダーシートを入れ、背面側の表示パネル２には写真を入れることが出来る。そこで、常時写真を入れた表示パネル１を表側に向けて配置し、必要に応じて背面側の写真を見るために向きを変えることが出来る。
【００１８】
図５は前記図４に示す本発明の表示ケースの縦断面であり、表示パネル１と表示パネル２はその上端に設けた継手部を介して連結され、逆Ｖ形を成して起立している表示パネル１には収容空間７が、表示パネル２には収容空間８がそれぞれ形成され、これら各収容空間７，８には写真やカレンダーシートが収容される。表示パネル１の収容空間７の厚さ寸法は大きく成っていて、例えば１２枚のカレンダーシートが収容される。
【００１９】
図６は表示パネル１と表示パネル２が互いに連結される継手部を表している。表示パネル１と表示パネル２は逆Ｖ形に開いて起立するが、この開き角度は一定になるようにストッパー機構を備えている。同図に示すストッパー機構はあくまでも１具体例に過ぎないが、表示パネル２の軸部下側にはストッパー突片１０を設け、表示パネル１の軸ピン３の下側にはストッパー溝９を形成している。
【００２０】
そこで、同図のように表示パネル１と表示パネル２がある程度開くならば、上記ストッパー溝９にストッパー突片１０が嵌合してそれ以上開かないように固定される。本発明の表示ケースは脚立が起立すると同じ形態であり、収納する場合には折畳んで両表示パネル１，２は重ね合わされる。
【００２１】
図７は本発明の表示ケースを表している他の実施例である。この表示ケースの場合、基本形態は共通しているが、正面側に位置する表示パネル１の形状を異にしている。すなわち、正面パネルが大きく切欠かれて開口５を有している。勿論、複数枚のカレンダーシートが収容できる収容空間を有しているが、上部にはガイドリブ１１，１１を設けている。又、該収容空間には複数枚のメモシートを収容し、大きな開口５から該メモシートにメモ書きすることも出来る。
【００２２】
図８に示す表示ケースは前記図７の場合と基本形態を共通しているが、図７の両表示パネル１，２の形状が横長の長方形であるのに対して、図８の表示ケースの表示パネル１，２は縦長の長方形と成っている。図９は図８の背面側を表している。表示パネル２には大きな開口５を有すと共に両側にはガイドリブ１２，１２を設けている。
【図面の簡単な説明】
【００２３】
【図１】本発明の表示ケースを構成する一方側の表示パネル。
【図２】本発明の表示ケースを構成する他方側の表示パネル。
【図３】本発明の表示ケースで、両表示パネルが閉じている場合。
【図４】本発明の表示ケースで、両表示パネルが逆Ｖ形に開いている場合。
【図５】本発明の表示ケースの縦断面図。
【図６】本発明の表示ケースの継手部構造。
【図７】本発明の表示ケースを示す他の実施例。
【図８】本発明の表示ケースを示す他の実施例。
【図９】本発明の表示ケースで、図８の背面側。
【符号の説明】
【００２４】
１  表示パネル
２  表示パネル
３  軸ピン
４  軸穴
５  開口
６  軸部
７  収容空間
８  収容空間
９  ストッパー溝
10  ストッパー突片
11  ガイドリブ
12  ガイドリブ
【図１】
2008259618.tif 000003
【図２】
2008259618.tif 000004
【図３】
2008259618.tif 000005
【図４】
2008259618.tif 000006
【図５】
2008259618.tif 000007
【図６】
2008259618.tif 000008
【図７】
2008259618.tif 000009
【図８】
2008259618.tif 000010
【図９】
2008259618.tif 000011